(57)【特許請求の範囲】
【請求項１】
入退室を管理すべき部屋と、
前記部屋の出入口に設けられた扉と、
前記部屋の外側でかつ前記扉の近傍に設けられたインターフォン付き入室用カードリーダと、
前記部屋の内側でかつ前記扉の近傍に設けられた退室用カードリーダと、
前記部屋内に設置され、前記インターフォン付き入室用カードリーダのインターフォンの呼び出しに応答する受信機と、
入退室を管理し、入室又は退出した際に、部屋内に在室者が一人になったかどうかをチェックし、在室者が一人になるとタイマをセットするＩＤコントローラとを備え、
前記ＩＤコントローラは、入室又は退出操作があると、在室者が一人になったか否かをチェックし、在室者が一人でないときは何もせず、前記部屋内に在室者が一人のときにタイマをセットして一人在室時間をカウントし、一人在室時間が予め設定した安否確認時間を経過したとき、前記インターフォン付き入室用カードリーダのインターフォンの呼び出しを行い、その呼び出しに在室者が前記受信機により応答すれば前記タイマを再セットして一人在室時間をカウントし直し、再度前記安否確認時間を経過したとき、前記インターフォン付き入室用カードリーダのインターフォンの呼び出しを行う操作を繰り返し、且つ、前記部屋内に在室者が一人になったときにタイマをセットして一人在室時間をカウントするが、在室者が二人以上になった時又は在室者が退室して無人となった時は安否確認のための時間監視は行わず、再び入退室操作があったときに在室状態をチェックすることを特徴とする入退室管理システムの在室者安否確認装置。
【請求項２】
インターフォン付き入室用カードリーダのインターフォンの呼び出しに応答しなかった時に予め設定された通報先に通報することを特徴とする請求項１記載の入退室管理システムの在室者安否確認装置。
【請求項３】
安否確認時間が経過する前に在室者がインターフォンの受信機を操作することにより、安否の正常が確認できれば、タイマを再セットして一人在室時間をカウントし直すことを特徴とする請求項１又は請求項２記載の入退室管理システムの在室者安否確認装置。
【請求項４】
安否確認時間は、在室者や、日時別又は曜日別に時間を変更できることを特徴とする請求項１〜請求項３のいずれかに記載の入退室管理システムの在室者安否確認装置。
【発明の詳細な説明】
【技術分野】
【０００１】
この発明は、入退室管理システムにおいて、一人で在室しているときに、在室者の安否を確認できる入退室管理システムの在室者安否確認装置に関するものである。
【背景技術】
【０００２】
従来の入退室管理システムにおいては、日曜出勤などのように人の出入りの少ない状況下で、たった一人で在室しているときに、在室者に何らかのトラブルが起きた場合、的確な安否確認ができずに、対処が遅れることがある。
【０００３】
また、従来技術として、入退室管理すべき特定の居室の扉近傍に設けられた入室用カードリーダ及び退室用カードリーダと、入室用カードリーダと退室用カードリーダによる読み取りデータの照合に基づいて扉の施解錠を制御する入退室管理装置とを備えた入退室管理システムにおいて、居室内にブザー及び在室延長ボタンをさらに備え、入退室管理装置は、入室用カードリーダによる入室操作後の在室時間をカウントし、カウント時間が予め設定された在室予定時間を経過しても退室用カードリーダによる退室操作が行われなかった場合に、ブザーを鳴動させて退室を促す。また、ブザーの鳴動後、退室用カードリーダによる退室操作が行われなく、在室延長ボタンも操作されない状態が一定時間経過した場合に、居室内で異常が発生したものと判断し、通報先へ発報するものが知られている（例えば、特許文献１参照）。
【０００４】
【特許文献１】特開２００７−１１５０１８号公報
【発明の開示】
【発明が解決しようとする課題】
【０００５】
従来技術の入退室管理システムでは、在室者に退室を促すシステムであるため、在室者の人数に関係なく一定時間でブザーを鳴動しており、ブザーを鳴らすまでの時間（安否確認のための時間）を在室者が意図して延長することはできないという問題があった。
【０００６】
この発明は上記のような課題を解決するためになされたもので、在室者が一人になったとき、在室者の安否を確認できるようにした入退室管理システムの在室者安否確認装置を提供するものである。
【課題を解決するための手段】
【０００７】
この発明に係る入退室管理システムの在室者安否確認装置においては、入退室を管理すべき部屋と、部屋の出入口に設けられた扉と、部屋の外側でかつ扉の近傍に設けられたインターフォン付き入室用カードリーダと、部屋の内側でかつ扉の近傍に設けられた退室用カードリーダと、部屋内に設置され、インターフォン付き入室用カードリーダのインターフォンの呼び出しに応答する受信機と、入退室を管理し、入室又は退出した際に、部屋内に在室者が一人になったかどうかをチェックし、在室者が一人になるとタイマをセットするＩＤコントローラとを備え、ＩＤコントローラは、入室又は退出操作があると、在室者が一人になったか否かをチェックし、在室者が一人でないときは何もせず、部屋内に在室者が一人のときにタイマをセットして一人在室時間をカウントし、一人在室時間が予め設定した安否確認時間を経過したとき、インターフォン付き入室用カードリーダのインターフォンの呼び出しを行い、その呼び出しに在室者が受信機により応答すればタイマを再セットして一人在室時間をカウントし直し、再度安否確認時間を経過したとき、インターフォン付き入室用カードリーダのインターフォンの呼び出しを行う操作を繰り返し、且つ、部屋内に在室者が一人になったときにタイマをセットして一人在室時間をカウントするが、在室者が二人以上になった時又は在室者が退室して無人となった時は安否確認のための時間監視は行わず、再び入退室操作があったときに在室状態をチェックするものである。
【発明の効果】
【０００８】
この発明によれば、在室者が一人のときに自動的に安否確認を行うことができ、また在室者は特殊な操作を行う必要がない。また、在室者は受信機を操作することにより自ら安否を知らせることもできる。
【発明を実施するための最良の形態】
【０００９】
図１はこの発明の実施の形態１における入退室管理システムの在室者安否確認装置の概略を示すシステム構成図、図２はこの発明の実施の形態１における入退室管理システムの動作を説明するためのフローチャートである。
【００１０】
図１において、この発明の入退室管理システムの在室者安否確認装置は、入退室を管理すべき部屋１と、部屋１の出入口に設けられた扉２と、部屋１の外側でかつ扉２の近傍に設けられ、インターフォン４が特別に設置されているインターフォン付き入室用カードリーダ３と、部屋１の内側でかつ扉２の近傍に設けられた退室用カードリーダ５と、部屋１内に設置され、インターフォン付き入室用カードリーダ３のインターフォン４の呼び出しに応答する受信機６と、入退室を管理するＩＤコントローラ７とから構成されている。そして、入室する際に、入室者は携行するカードをインターフォン付き入室用カードリーダ３にかざし、インターフォン付き入室用カードリーダ３はＩＤコントローラ７にカードデータを送信する。入室時に、在室者が一人の場合は、インターフォン付き入室用カードリーダ３の液晶表示部（図示せず）に、「在室者が一人である」旨のメッセージや、「インターフォンの呼び出しには応答して下さい」などのメッセージを表示することにより、在室者に注意を促すことができる。ＩＤコントローラ７はカードの認証を行い、ＯＫであれば扉２を開錠する。また、退室する際には、退室者は携行するカードを退室用カードリーダ５にかざし、退室用カードリーダ５はＩＤコントローラ７にカードデータを送信する。ＩＤコントローラ７はカードの認証を行い、ＯＫであれば扉２を開錠する。なお、ＩＤコントローラ７は、入室又は退出した際に、部屋１内に在室者が一人になったかどうかをチェックし、在室者が一人になるとタイマをセットする。そして、予め設定した安否確認時間を経過したとき、インターフォン付き入室用カードリーダ３のインターフォン４の呼び出しを行い、呼び出しに対して在室者が受信機６により応答すれば、在室者に異常が無いと判断して、再びタイマをセットし、在室時間の監視を行う。また、インターフォン３による呼び出しに対して応答が無ければ、在室者異常と判断して、例えば予め設定した通報先に通報する。また、安否確認時間は、在室者別や、日時別又は曜日別に時間を変更することが可能なものである。
【００１１】
次に、この発明の入退室管理システムの在室者安否確認装置動作フローについて、図２により説明する。
インターフォン４の呼び出しを行う安否確認時間及び通報先は予め設定しておくものとする。ステップＳ１で入室又は退室操作があると、ステップＳ２で在室者が一人になったか否かをチェックする。在室者が一人でないときは何もせずに、ステップＳ１に戻り、再び入室又は退室操作があったときに在室状態をチェックする。ステップＳ２で在室者が一人になったとき、タイマをセットし、在室時間を計測する（ステップＳ３）。入室時に在室者が一人の場合は、インターフォン付き入室用カードリーダ３の液晶表示部（図示せず）に、「在室者が一人である」旨のメッセージや、「インターフォンの呼び出しには応答して下さい」などのメッセージを表示する（ステップＳ４）。次に、他の人が入室し（ステップＳ５）、部屋に二人以上が在室している状態になれば、安否確認のための時間監視は行わず、再び入退室操作（ステップＳ１）があったときに在室状態をチェックする（ステップＳ２）。また、ステップＳ５で他の人の入室がなく、在室者が退室した場合（ステップＳ６）は、部屋に在室者がいなくなり無人となるので、安否確認のための時間監視は行わず、再び入退室操作（ステップＳ１）があったときに在室状態をチェックする（ステップＳ２）。そして、部屋に一人の状態が継続し、予め設定した安否確認時間を経過したとき（ステップＳ７）、インターフォン付き入室用カードリーダ３のインターフォン４の呼び出しを行う（ステップＳ８）。この呼び出しに対して在室者が受信機６により応答すれば（ステップＳ９）、在室者に異常が無いと判断して、タイマを再セットし（ステップＳ１０）、在室時間の監視を行う。また、ステップＳ９でインターフォン４による呼び出しに対して応答が無ければ、在室者の安否異常と判断して、在室者のＩＤ番号をチェックし（ステップＳ１１）、予め設定された通報先に通報する（ステップＳ１２）。なお、安否異常で通知する際に在室者のＩＤ番号が判っているため、ＩＤ番号別に通知先を設定して通知することができる。
【００１２】
なお、ステップＳ７とステップＳ８の間にステップＳ１３を設け、安否確認時間が経過する前に在室者がインターフォン４の受信機６を操作することにより、安否状態が正常であることが確認できるようにすれば、安否確認時間をカウントし直すことができる。
【００１３】
また、ステップＳ９でインターフォン４による呼び出しに対して応答が無いままに、在室者が退室した場合は（ステップＳ１４）、ステップＳ１に戻り、再び入室又は退室操作があったときに在室状態をチェックすることになる。
【００１４】
また、もし来訪者があり、来訪者がインターフォン４を操作して、在室者がそれに応答した場合、すなわち通常のインターフォンの呼び出し応答があった場合でも、在室者の安否が確認できるので、タイマをリセットし、カウントし直すこともできる。
【図面の簡単な説明】
【００１５】
【図１】この発明の実施の形態１における入退室管理システムの在室者安否確認装置の概略を示すシステム構成図である。
【図２】この発明の実施の形態１における入退室管理システムの動作を説明するためのフローチャートである。
【符号の説明】
【００１６】
１  部屋
２  扉
３  インターフォン付き入室用カードリーダ
４  インターフォン
５  退室用カードリーダ
６  受信機
７  ＩＤコントローラ
【図１】
0005040581.tif 000002
【図２】
0005040581.tif 000003